(57)【要約】 【課題】  原画像の視認性を極力妨げないようにＯＳＤ画像の表示を可能とする投影装置を提供する。【解決手段】  投影装置は、画像信号に基づいて所定のアスペクト比で原画像を投影する投影部と、投影部を制御する制御部とを備えている。制御部は、所定のアスペクト比で原画像を投影する際、原画像の表示に用いられていない非表示領域が投影部の表示素子にあるか否かを判断し、非表示領域があると判断した場合には、非表示領域によってＯＳＤ画像を表示させる。【選択図】        図１
2013195808.tif 000002
【特許請求の範囲】
【請求項１】
画像信号に基づいて所定のアスペクト比で原画像を投影する投影部と、
前記投影部を制御する制御部とを備え、
前記制御部は、
前記所定のアスペクト比で原画像を投影する際、前記原画像の表示に用いられていない非表示領域が前記投影部の表示素子にあるか否かを判断し、前記非表示領域があると判断した場合には、前記非表示領域によってＯＳＤ画像を表示させることを特徴とする投影装置。
【請求項２】
請求項１記載の投影装置において
前記ＯＳＤ画像の表示座標を設定する座標設定手段を備え、
前記制御部は、前記非表示領域があると判断した場合には、前記座標設定手段によって設定された座標に関連付いた前記非表示領域内の位置に前記ＯＳＤ画像を表示させることを特徴とする投影装置。
【請求項３】
請求項１又は２記載の投影装置において、
前記制御部は、
前記非表示領域の形状に対応するように、前記ＯＳＤ画像のレイアウトを変更することを特徴とする投影装置。
【請求項４】
請求項１〜３のいずれか一項に記載の投影装置において、
前記制御部は、前記非表示領域内に前記ＯＳＤ画像が表示できないと判断した場合には、前記ＯＳＤ画像が表示できるように前記非表示領域を拡張することを特徴とする投影装置。
【請求項５】
請求項１〜３のいずれか一項に記載の投影装置において、
前記制御部は、前記非表示領域内に前記ＯＳＤ画像が表示できないと判断した場合には、前記非表示領域内に前記ＯＳＤ画像を表示できるように前記ＯＳＤ画像を縮小することを特徴とする投影装置。
【請求項６】
請求項１〜５のいずれか一項に記載の投影装置において、
前記ＯＳＤ画像の表示内容には、時間情報が含まれることを特徴とする投影装置。
【請求項７】
請求項１〜６のいずれか一項に記載の投影装置において、
前記ＯＳＤ画像の表示内容には、当該投影装置に接続された外部機器に記憶されているファイル情報が含まれることを特徴とする投影装置。
【発明の詳細な説明】
【技術分野】
【０００１】
本発明は、投影装置に関する。
【背景技術】
【０００２】
従来、例えばプロジェクターなどの投影装置においては、種々の情報をＯＳＤ（On Screen Display）画像として、原画像に対して重なるように表示する投影装置が知られている（例えば特許文献１参照）。
【先行技術文献】
【特許文献】
【０００３】
【特許文献１】特開２０１０−５４５５０号公報
【発明の概要】
【発明が解決しようとする課題】
【０００４】
ところで、上述したようにＯＳＤ画像が原画像に対して重なって表示されてしまうと、原画像の視認性を妨げてしまうことになっていた。
そこで本発明の課題は、原画像の視認性を極力妨げないようにＯＳＤ画像の表示を可能とする投影装置を提供することである。
【課題を解決するための手段】
【０００５】
以上の課題を解決するため、本発明の一の態様によれば、
画像信号に基づいて所定のアスペクト比で原画像を投影する投影部と、
前記投影部を制御する制御部とを備え、
前記制御部は、
前記所定のアスペクト比で原画像を投影する際、前記原画像の表示に用いられていない非表示領域が前記投影部の表示素子にあるか否かを判断し、前記非表示領域があると判断した場合には、前記非表示領域によってＯＳＤ画像を表示させることを特徴とする投影装置が提供される。
【発明の効果】
【０００６】
本発明によれば、原画像の視認性を極力妨げないようにＯＳＤ画像の表示を可能とする投影装置を提供することができる。
【図面の簡単な説明】
【０００７】
【図１】本実施形態の投影装置としてのプロジェクターの主制御構成を示すブロック図である。
【図２】本実施形態の表示素子の表示領域を示す説明図である。
【図３】本実施形態の表示素子の表示領域及び非表示領域を示す説明図である。
【図４】本実施形態の表示素子の表示領域及び非表示領域を示す説明図である。
【図５】本実施形態のＯＳＤ画像の表示例を示す説明図である。
【図６】本実施形態のＯＳＤ画像の表示例を示す説明図である。
【図７】本実施形態のプロジェクターで実行される画像表示プログラムの流れを示すフローチャートである。
【図８】ＯＳＤ画像の表示例の一例を示す説明図である。
【図９】ＯＳＤ画像の表示例の一例を示す説明図である。
【図１０】ＯＳＤ画像の表示例の一例を示す説明図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態の投影装置としてのプロジェクターの主制御構成を示すブロック図である。図１に示すようにプロジェクター１には、外部機器１０が接続される接続部２と、外部機器１０から接続部２を介して入力された画像信号に基づく画像を投影する投影部３と、種々の操作が入力される操作部４と、これらを制御する制御部５とが備えられている。
投影部３は、画像を生成する表示素子３１と、表示素子３１を透過した光をスクリーン上に投影するためのレンズ群３２とを備えている。投影部３の投影領域は予め所定のアスペクト比に固定されている。
【００１０】
制御部５は、ＣＰＵ５１、ＲＡＭ５２、ＲＯＭ５３を備えており、ＣＰＵ５１がＲＯＭ５３内の制御プログラム、制御データをＲＡＭ５２に展開することで各部を制御するようになっている。制御プログラムとしては、例えば、外部機器１０から接続部２を介して入力された画像信号に基づいて表示素子３１を制御し、スクリーン上に原画像を表示する画像表示プログラムが挙げられる。
ここで、画像信号に基づく原画像には所定のアスペクト比が予め設定されている。画像信号に基づく原画像のアスペクト比と、投影部３の投影領域のアスペクト比が同じである場合には、投影部３の表示素子３１の全領域が原画像の表示に用いられる。例えば図２においては、原画像のアスペクト比と投影領域のアスペクト比とが４：３で同じ場合であるため、表示素子３１の全領域が原画像の表示領域となる。
【００１１】
一方、画像信号に基づく原画像のアスペクト比と、投影部３の投影領域のアスペクト比が異なる場合には、投影領域内に原画像が収まるように原画像を縮小して投影する場合がある。その時、表示素子３１のうち一部が原画像を表示するための表示領域となり、その他の部分が原画像を表示しない非表示領域となる。例えば図３においては、原画像のアスペクト比が１６：９で、投影領域のアスペクト比が４：３の場合を示している。この場合の投影領域では、原画像の表示領域の上下の部分が非表示領域となる。また、図４においては、原画像のアスペクト比が４：３で、投影領域のアスペクト比が１６：９の場合を示している。この場合の投影領域では、原画像の表示領域の左右の部分が非表示領域となる。
【００１２】
また、画像表示プログラムには、原画像とともにＯＳＤ画像を表示する場合もある。ＯＳＤ画像の表示内容には、メニュー情報、時間情報、外部機器１０に記憶されたファイル情報等が含まれている。メニュー情報には、プロジェクター１の各種メニューや、状態ステータス等が含まれている。時間情報とは、現在時刻、プレゼンテーション時間などである。
【００１３】
ここで、非表示領域がない場合には原画像に重なるようにＯＳＤ画像を表示する。一方、非表示領域がある場合には原画像に重ならないよう非表示領域内にＯＳＤ画像を表示する。
ＯＳＤ画像の表示有無は、操作部４に入力されるＯＳＤ画像の表示指示に基づき決定される。操作部４には、表示指示に関連してＯＳＤ画像の表示座標やレイアウトも入力される。つまり、操作部４は本発明に係る座標設定手段である。非表示領域がない場合にはＯＳＤ画像は操作部４に入力された表示座標及びレイアウトでそのまま表示される。非表示領域がある場合には、操作部４によって設定された表示座標が非表示領域内の座標であるとその位置にＯＳＤ画像は表示されるが、非表示領域外の座標であると、当該設定された座標に関連付いた非表示領域内の位置にＯＳＤ画像は表示される。「設定された座標に関連付いた非表示領域内の位置」とは、非表示領域内に当該設定された座標が含まれている場合にはその座標が前記位置となり、非表示領域内に当該設定された座標が含まれていない場合には、前記座標のＸ座標及びＹ座標のうち非表示領域内に含まれる座標、或いは近似する座標に基づく位置が前記位置となる。
さらに、ＯＳＤ画像のレイアウトは、非表示領域の形状に対応するように変更される。
【００１４】
図５及び図６に基づいて具体的に説明する。図５及び図６はＯＳＤ画像の表示例を示す説明図である。
図５（ａ）では、非表示領域がない場合に、横書きのＯＳＤ画像ａが右側上部、横書きのＯＳＤ画像ｂが左側下部に配置された場合を示している。図５（ａ）と同様の表示座標が、非表示領域が上下にある場合に設定された場合、図５（ｂ）に示すように上側の非表示領域の右側にＯＳＤ画像ａが配置され、下側の非表示領域の左側にＯＳＤ画像ｂが配置される。他方、図５（ａ）と同様の表示座標が、非表示領域が左右にある場合に設定された場合、図５（ｃ）に示すように、右側の非表示領域の上部に、レイアウトが縦書きに変更されたＯＳＤ画像ａが配置され、左側の非表示領域の下部に、レイアウトが縦書きに変更されたＯＳＤ画像ｂが配置される。
図６（ａ）では、非表示領域がない場合に、縦書きのＯＳＤ画像ａが右側上部、縦書きのＯＳＤ画像ｂが左側下部に配置された場合を示している。図６（ａ）と同様の表示座標が、非表示領域が上下にある場合に設定された場合、図６（ｂ）に示すように上側の非表示領域の右側に、レイアウトが縦書きに変更されたＯＳＤ画像ａが配置され、下側の非表示領域の左側に、レイアウトが縦書きに変更されたＯＳＤ画像ｂが配置される。他方、図６（ａ）と同様の表示座標が、非表示領域が左右にある場合に設定された場合、図６（ｃ）に示すように、右側の非表示領域の上部にＯＳＤ画像ａが配置され、左側の非表示領域の下部にＯＳＤ画像ｂが配置される。
なお、ＯＳＤ画像が認識できる範囲内であったら、ＯＳＤ画像を非表示領域の形状に合わせて変形させてもよい。具体的には、非表示領域が縦長である場合にはＯＳＤ画像を縦長に変形し、非表示領域が横長である場合にはＯＳＤ画像を横長に変形することが挙げられる。
【００１５】
図７は、画像表示プログラムの流れを示すフローチャートである。
ステップＳ１では、制御部５は、プロジェクター１で写す投影画像のアスペクト比を設定する。ここで、操作部４に対して任意のアスペクト比が入力されている場合にはその値を採用し、入力されていない場合には原画像の基準のアスペクト比を採用する。
【００１６】
ステップＳ２では、制御部５は、操作部４からＯＳＤ画像の表示指示が入力されているか否かを判断し、入力されていない場合はステップＳ３に移行し、入力されている場合にはステップＳ４に移行する。
【００１７】
ステップＳ３では、制御部５は、外部機器１０から接続部２を介して入力された画像信号に基づいて投影部３を制御し、ステップＳ１で設定したアスペクト比で原画像をスクリーン上に投影する。
【００１８】
ステップＳ４では、制御部５は、ステップＳ１で設定したアスペクト比で原画像を投影する際、非表示領域が表示素子３１の左右に配置されるか否かを判断し、左右に配置される場合にはステップＳ５に移行し、左右に配置されない場合にはステップＳ６に移行する。
【００１９】
ステップＳ５では、制御部５は、操作部４に入力された表示座標に基づいて、左右の非表示領域に対応するようにＯＳＤ画像の表示位置、レイアウトを設定し、ステップＳ９に移行する。
【００２０】
ステップＳ６では、制御部５は、ステップＳ１で設定したアスペクト比で原画像を投影する際、非表示領域が表示素子３１の上下に配置されるか否かを判断し、上下に配置される場合にはステップＳ７に移行し、上下に配置されない場合、つまり非表示領域がない場合にはステップＳ８に移行する。
【００２１】
ステップＳ７では、制御部５は、操作部４に入力された表示座標に基づいて、上下の非表示領域に対応するようにＯＳＤ画像の表示位置、レイアウトを設定し、ステップＳ９に移行する。
【００２２】
ステップＳ８では、制御部５は、操作部４に入力された表示座標に基づいて、ＯＳＤ画像の表示位置、レイアウトを原画像上に設定し、ステップＳ９に移行する。
【００２３】
ステップＳ９では、上記工程で設定したＯＳＤ画像の各種情報と、外部機器１０から接続部２を介して入力された画像信号に基づいて投影部３を制御し、ステップＳ１で設定したアスペクト比で原画像をスクリーン上に投影するとともに、ＯＳＤ画像もスクリーン上に投影する。
【００２４】
以上のように、本実施形態によれば、所定のアスペクト比で原画像を投影する際、原画像の表示に用いられていない非表示領域が投影部３の表示素子３１にあるか否かを判断し、非表示領域があると判断した場合には、非表示領域によってＯＳＤ画像を表示させている。したがって、非表示領域がある場合には、原画像にＯＳＤ画像が重なって表示されることが防止され、原画像の視認性を極力確保することができる。
【００２５】
また、操作部４によって設定された座標に関連付いた非表示領域内の位置にＯＳＤ画像を表示させるので、設定された座標が非表示領域内に収まらない場合であっても当該座標に近似した位置にＯＳＤ画像を表示することができる。したがって、ユーザーの意図から逸脱しない領域にＯＳＤ画像を表示することができる。
【００２６】
また、非表示領域の形状に対応するようにＯＳＤ画像のレイアウトが変更されるので、非表示領域内にＯＳＤ画像をスムーズに収めることができる。
【００２７】
また、ＯＳＤ画像の表示内容に時間情報が含まれているので、原画像の視認性を妨げない範囲でユーザーに時間情報を提示することができる。時間情報が表示されていると、例えばプレゼンテーションの残り時間等をユーザーが発表している最中に違和感なく把握することができる。
また、ＯＳＤ画像の表示内容に、外部機器１０に記憶されているファイル情報が含まれているので、原画像の視認性を妨げない範囲でユーザーに外部機器１０内のファイル情報を提示することができる。例えばプロジェクターの種類によってはマウス等のポインティングデバイスが接続されると、そのポインティングデバイスでの操作内容をコマンド化して外部機器１０に出力するものもある。このようなプロジェクターの場合、ＯＳＤ画像として外部機器１０内のファイル情報が表示されていれば、ＯＳＤ画像内のファイル情報をポインティングデバイスで選択、操作することも可能となる。
【００２８】
なお、本発明は上記実施形態に限らず適宜変更可能である。
例えば、上記実施形態では、非表示領域内にＯＳＤ画像が収まって表示される場合を例示して説明したが、ＯＳＤ画像の大きさによっては座標やレイアウトを変更しても非表示領域内に収まりきらない場合も考えられる（図８参照）。このような場合、制御部５は、非表示領域内にＯＳＤ画像が表示できないと判断した場合には、ＯＳＤ画像が表示できるように非表示領域を拡張するようにしてもよい。具体的には、図９（ａ）に示すように原画像のアスペクト比を変更して非表示領域を拡大する方法や、図９（ｂ）に示すように原画像を大きさはそのままで一方にずらせて非表示領域を拡張する方法が挙げられる。
また、制御部５は、非表示領域内にＯＳＤ画像が表示できないと判断した場合には、非表示領域内にＯＳＤ画像を表示できるように、図１０に示すようにＯＳＤ画像を縮小するようにしてもよい。
【００２９】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００３０】
〔付記〕
＜請求項１］
画像信号に基づいて所定のアスペクト比で原画像を投影する投影部と、
前記投影部を制御する制御部とを備え、
前記制御部は、
前記所定のアスペクト比で原画像を投影する際、前記原画像の表示に用いられていない非表示領域が前記投影部の表示素子にあるか否かを判断し、前記非表示領域があると判断した場合には、前記非表示領域によってＯＳＤ画像を表示させることを特徴とする投影装置。
＜請求項２＞
請求項１記載の投影装置において
前記ＯＳＤ画像の表示座標を設定する座標設定手段を備え、
前記制御部は、前記非表示領域があると判断した場合には、前記座標設定手段によって設定された座標に関連付いた前記非表示領域内の位置に前記ＯＳＤ画像を表示させることを特徴とする投影装置。
＜請求項３＞
請求項１又は２記載の投影装置において、
前記制御部は、
前記非表示領域の形状に対応するように、前記ＯＳＤ画像のレイアウトを変更することを特徴とする投影装置。
＜請求項４＞
請求項１〜３のいずれか一項に記載の投影装置において、
前記制御部は、前記非表示領域内に前記ＯＳＤ画像が表示できないと判断した場合には、前記ＯＳＤ画像が表示できるように前記非表示領域を拡張することを特徴とする投影装置。
＜請求項５＞
請求項１〜３のいずれか一項に記載の投影装置において、
前記制御部は、前記非表示領域内に前記ＯＳＤ画像が表示できないと判断した場合には、前記非表示領域内に前記ＯＳＤ画像を表示できるように前記ＯＳＤ画像を縮小することを特徴とする投影装置。
＜請求項６＞
請求項１〜５のいずれか一項に記載の投影装置において、
前記ＯＳＤ画像の表示内容には、時間情報が含まれることを特徴とする投影装置。
＜請求項７＞
請求項１〜６のいずれか一項に記載の投影装置において、
前記ＯＳＤ画像の表示内容には、当該投影装置に接続された外部機器に記憶されているファイル情報が含まれることを特徴とする投影装置。
【符号の説明】
【００３１】
１      プロジェクター（投影装置）
２      接続部
３      投影部
４      操作部（座標設定手段）
５      制御部
１０      外部機器
３１      表示素子
３２      レンズ群
【図１】
2013195808.tif 000003
【図２】
2013195808.tif 000004
【図３】
2013195808.tif 000005
【図４】
2013195808.tif 000006
【図５】
2013195808.tif 000007
【図６】
2013195808.tif 000008
【図７】
2013195808.tif 000009
【図８】
2013195808.tif 000010
【図９】
2013195808.tif 000011
【図１０】
2013195808.tif 000012